(57)【要約】【課題】携帯電話機を、多機能化を図りつつ、小型化、軽量化する。【解決手段】着信通知時又はイルミネーション表示時には、青色ＬＥＤ２７から放射され、発光用レンズ２８を透過し、プリズムシート２９に到達した青色光のうち大部分はプリズムシート２９の反射面で発光用レンズ２８へ向けて反射し、発光用レンズ２８を透過し、出射面２８ｄから出射される。ここで、プリズムシート２９が、発光用レンズ２８と白色ＬＥＤ２６との間に介在されていることによって、白色ＬＥＤ２６に到達する青色光は表示品質上無視し得る程度となる。また、ストロボ発光時には、白色ＬＥＤ２６から放射され、プリズムシート２９に照射された白色光のうち大部分は、プリズムシート２９の透過面２９ｎで屈折して、発光用レンズ２８へ向けて出射し、発光用レンズ２８を透過し、出射面２８ｄから出射され、ストロボ光として用いられる。【選択図】  図２
2004317891.tif 000002
【特許請求の範囲】
【請求項１】
カメラ部と、該カメラ部の撮影動作に連動してストロボ動作として第１の光を出射するための第１の光源と、表示用の第２の光を出射するための第２の光源とを備えてなるカメラ付き携帯型電子機器であって、
前記第１の光と前記第２の光とが同一の開口部から外部へ出力される構成になされていることを特徴とするカメラ付き携帯型電子機器。
【請求項２】
カメラ部と、該カメラ部の撮影動作に連動してストロボ動作として第１の光を出射するための第１の光源と、表示用の第２の光を出射するための第２の光源とを備えてなるカメラ付き携帯型電子機器であって、
前記第１の光と前記第２の光とが共通の光学系を介して外部へ出力される構成になされていることを特徴とするカメラ付き携帯型電子機器。
【請求項３】
前記第２の光源は、着信表示又は通話時のイルミネーション表示として前記第２の光を出射するために用いられることを特徴とする請求項１又は２記載のカメラ付き携帯型電子機器。
【請求項４】
前記光学系は、レンズを備えてなることを特徴とする請求項２記載のカメラ付き携帯型電子機器。
【請求項５】
前記レンズは、前記第１の光が入射する第１の入射面と、前記第２の光が入射する第２の入射面と、前記第１の光と前記第２の光とが出射する１つの共通の出射面とを有してなることを特徴とする請求項４記載のカメラ付き携帯型電子機器。
【請求項６】
前記第１の入射面及び前記第２の入射面のうち、いずれか一方の入射面は、前記共通の出射面に対向する対向面に設けられている一方、他方の入射面は、前記共通の出射面及び前記対向面に隣接する側面に設けられていることを特徴とする請求項５記載のカメラ付き携帯型電子機器。
【請求項７】
前記レンズの前記第１の入射面及び前記第２の入射面のうち、いずれか一方の入射面に当接又は近接して、プリズムシート又は拡散シートが設けられていることを特徴とする請求項５又は６記載のカメラ付き携帯型電子機器。
【請求項８】
前記第１の光源から出射される前記第１の光は、前記プリズムシート又は拡散シートを介して、前記レンズの前記第１の入射面又は前記第２の入射面に入射され、前記レンズの前記共通の出射面から外部へ出力される構成になされていることを特徴とする請求項７記載のカメラ付き携帯型電子機器。
【請求項９】
前記第２の光源から出射される前記第２の光は、前記レンズの前記第２の入射面又は前記第１の入射面に入射され、前記第１の入射面又は前記第２の入射面に当接又は近接して設けられた前記プリズムシート又は拡散シートで反射散乱されて、前記レンズの前記共通の出射面から外部へ出力される構成になされていることを特徴とする請求項７又は８記載のカメラ付き携帯型電子機器。
【請求項１０】
前記第１の光源は白色発光ダイオードからなることを特徴とする請求項１乃至９のいずれか１に記載のカメラ付き携帯型電子機器。
【請求項１１】
前記第２の光源は青色発光ダイオードからなることを特徴とする請求項１乃至１０のいずれか１に記載のカメラ付き携帯型電子機器。
【発明の詳細な説明】
【０００１】
【発明の属する技術分野】
この発明は、カメラ付き携帯型電子機器に係り、特に、カメラ撮影用の照明に使用される発光素子と、着信時又は通話時に発光する発光素子とを有する携帯電話機に適用して好適なカメラ付き携帯型電子機器に関する。
カメラ付き携帯型電子機器に関する。
【０００２】
【従来の技術】
携帯型電子機器としての携帯電話機は、近年多機能化が進み、特に、デジタルカメラを搭載したものが普及している。また、この種の携帯電話機には、着信時に点滅してその旨を通知したり、通話時にエンブレムを多彩な色彩で発光表示させる表示用発光部が設けられているものも多い。さらに、最近は、写真撮影用のフラッシュ光を出力するストロボ部を搭載したものも提案されている。
すなわち、この種の携帯電話機１０１は、図１０に示すように、例えば折畳可能な筐体１０２を備えると共に、携帯電話機１０１の例えば上側筐体１０３には、撮影用のカメラレンズ１０４を有する電子カメラユニットと、フラッシュ光を出力するストロボ発光部１０５と、着信をユーザに知らせるための着信表示や通話時にイルミネーション表示を行う表示用発光部１０６と、折り畳んだ状態で表示画面の視認が可能な補助表示部１０７と、送受信用のアンテナ１０８とが設けられている。
【０００３】
表示用発光部１０６は、図１１に示すように、プリント配線基板１０７上に搭載された青色光を発光する複数の青色ＬＥＤからなる青色ＬＥＤユニット１０８と、発光表示用レンズ１０９と、発光用レンズ１０９を位置決めされた状態で保持すると共に青色ＬＥＤユニット１０８から放射された光を洩れることなく発光用レンズ１０９へ導くための遮光ホルダ１１０とを有している。
また、ストロボ発光部１０５は、図１２に示すように、プリント配線基板１０７上に搭載された白色光を発光する白色ＬＥＤユニット１１１と、ストロボ発光用レンズ１１２と、ストロボ発光用レンズ１１２を位置決めされた状態で保持すると共に白色ＬＥＤユニット１１１から放射された光を洩れることなくストロボ発光用レンズ１１２へ導くための遮光ホルダ１１３とを有している。
【０００４】
ここで、光源として白色ＬＥＤを用いることによって、従来のストロボ発光装置を用いた場合に比べて、小型化及び低コスト化を図っている（例えば、特許文献１参照）。
なお、白色ＬＥＤユニット１１１は、複数の青色ＬＥＤと、青色ＬＥＤから放射された青色光により黄色光を発光する蛍光材料が混入された蛍光板と、青色ＬＥＤと蛍光板との間に介在され青色ＬＥＤから放射された光を均一化して蛍光板へ向けて出射させるプリズムシートとを有してなっている（例えば、特許文献２参照）。
【０００５】
【特許文献１】
特開２００２−２０７２３６号公報
【特許文献２】
特開平１０―２７４９４７号公報
【０００６】
【発明が解決しようとする課題】
しかしながら、上述した従来の携帯電話機１０１では、表示用発光部１０６とストロボ発光部１０５とを別々の箇所に独立させて設けているために、着信通知機能やエンブレムの発光表示機能に加えてストロボ発光機能を持たせる多機能化を実現しつつ、小型化、軽量化及び低コスト化を達成することは困難であるという問題があった。
【０００７】
この発明は、上述の事情に鑑みてなされたもので、着信通知機能やエンブレムの発光表示機能に加えてストロボ発光機能を持たせる多機能化を実現しつつ、小型化、軽量化及び低コスト化を達成することができるカメラ付き携帯型電子機器を提供することを目的としている。
【０００８】
【課題を解決するための手段】
上記課題を解決するために、請求項１記載の発明は、カメラ部と、該カメラ部の撮影動作に連動してストロボ動作として第１の光を出射するための第１の光源と、表示用の第２の光を出射するための第２の光源とを備えてなるカメラ付き携帯型電子機器に係り、上記第１の光と上記第２の光とが同一の開口部から外部へ出力される構成になされていることを特徴としている。
【０００９】
また、請求項２記載の発明は、カメラ部と、該カメラ部の撮影動作に連動してストロボ動作として第１の光を出射するための第１の光源と、表示用の第２の光を出射するための第２の光源とを備えてなるカメラ付き携帯型電子機器に係り、上記第１の光と上記第２の光とが共通の光学系を介して外部へ出力される構成になされていることを特徴としている。
【００１０】
また、請求項３記載の発明は、請求項１又は２記載のカメラ付き携帯型電子機器に係り、上記第２の光源は、着信表示又は通話時のイルミネーション表示として上記第２の光を出射するために用いられることを特徴としている。
【００１１】
また、請求項４記載の発明は、請求項２記載のカメラ付き携帯型電子機器に係り、上記光学系は、レンズを備えてなることを特徴としている。
【００１２】
また、請求項５記載の発明は、請求項４記載のカメラ付き携帯型電子機器に係り、上記レンズは、上記第１の光が入射する第１の入射面と、上記第２の光が入射する第２の入射面と、上記第１の光と上記第２の光とが出射する１つの共通の出射面とを有してなることを特徴としている。
【００１３】
また、請求項６記載の発明は、請求項５記載のカメラ付き携帯型電子機器に係り、上記第１の入射面及び上記第２の入射面のうち、いずれか一方の入射面は、上記共通の出射面に対向する対向面に設けられている一方、他方の入射面は、上記共通の出射面及び上記対向面に隣接する側面に設けられていることを特徴としている。
【００１４】
また、請求項７記載の発明は、請求項５又は６記載のカメラ付き携帯型電子機器に係り、上記レンズの上記第１の入射面及び上記第２の入射面のうち、いずれか一方の入射面に当接又は近接して、プリズムシート又は拡散シートが設けられていることを特徴としている。
【００１５】
また、請求項８記載の発明は、請求項７記載のカメラ付き携帯型電子機器に係り、上記第１の光源から出射される上記第１の光は、上記プリズムシート又は拡散シートを介して、上記レンズの上記第１の入射面又は上記第２の入射面に入射され、上記レンズの上記共通の出射面から外部へ出力される構成になされていることを特徴としている。
【００１６】
また、請求項９記載の発明は、請求項７又は８記載のカメラ付き携帯型電子機器に係り、上記第２の光源から出射される上記第２の光は、上記レンズの上記第２の入射面又は上記第１の入射面に入射され、上記第１の入射面又は上記第２の入射面に当接又は近接して設けられた上記プリズムシート又は拡散シートで反射散乱されて、上記レンズの上記共通の出射面から外部へ出力される構成になされていることを特徴としている。
【００１７】
また、請求項１０記載の発明は、請求項１乃至９のいずれか１に記載のカメラ付き携帯型電子機器に係り、上記第１の光源は白色発光ダイオードからなることを特徴としている。
【００１８】
また、請求項１１記載の発明は、請求項１乃至１０のいずれか１に記載のカメラ付き携帯型電子機器に係り、上記第２の光源は青色発光ダイオードからなることを特徴としている。
【００１９】
【発明の実施の形態】
以下、図面を参照して、この発明の実施の形態について説明する。説明は、実施例を用いて具体的に行う。
図１は、この発明の一実施例である折畳型の携帯電話機の外観構成を示す図、図２は、同携帯電話機の発光部の構成を示す断面図、図３は、同携帯電話機の構成を示すブロック図、図４は、図２のＡ部を拡大して示す拡大断面図、図５は、同携帯電話機の動作を説明するための断面図、図６は、同携帯電話機の動作を説明するための拡大断面図、図７は、同発光部において、プリズムシートを除いた場合の動作を説明するための断面図、図８は、同携帯電話機の動作を説明するための断面図、また、図９は、同携帯電話機の動作を説明するための拡大断面図である。
【００２０】
この例の携帯電話機（カメラ付き携帯型電子機器）１は、図１に示すように、折畳可能な筐体２を備えると共に、本来の通話機能やデータ通信機能に加えて、内蔵された電子カメラによる撮影機能を有し、図１及び図３に示すように、当該携帯電話機本体の構成各部を制御する制御部３と、制御部３が実行する処理プログラムや各種データ等を記憶するための記憶部４と、例えば周囲の風景や人物等を撮影する電子カメラユニット（カメラ部）５と、ＬＥＤを有し撮影時に必要に応じてストロボ発光を行うと共に例えば着信時に発光する発光部６と、発光部６を構成するＬＥＤを駆動するためのＬＥＤ駆動部７と、電波の送受信を行うアンテナ８と、音声やデータを変調してアンテナ８を介して無線電波として送信すると共に、無線電波をアンテナ８を介して受信して音声やデータに復調し、所定のプロトコルに従って通話やデータ通信を行うために用いられる無線通信部９と、各種操作キー等からなる操作部１１と、折畳時に内側となる側に配設され液晶表示装置からなる主表示部１２ａと、折畳時に外側となる側に配設され液晶表示装置からなる補助表示部１２ｂと、音声出力用のスピーカ１３と、音声入力用のマイクロフォン１４とを備えてなっている。
【００２１】
筐体２は、図１に示すように、ヒンジ部１７で相互に結合された上側筐体１８と下側筐体とからなり、ヒンジ部１７は、上側筐体１８と下側筐体とを回転自在に結合して当該携帯電話機１に折畳可能な構造を付与している。
制御部３は、例えば電子カメラユニット５で得られた画像データを主表示部１２ａ、補助表示部１２ｂに表示させるための表示制御プログラムや、ＬＥＤ駆動部７を制御して、例えば、撮影時にストロボ発光させたり、着信時に青色ＬＥＤユニットを点滅させる発光制御プログラム、ホームページを閲覧するためのプログラムとしてのブラウザ、電子メールを作成したり送受信するためのプログラムとしてのメーラ等の記憶部４に記憶された各種処理プログラムを実行し、記憶部４に確保された各種レジスタやフラグを用いて、構成各部を制御する。
記憶部４は、ＲＯＭ、ＲＡＭ等の半導体メモリからなり、この記憶部４には、制御部３が実行する上記表示制御プログラムや発光制御プログラム等の各種処理プログラムや、受信した情報や電子カメラユニット５によって撮影された画像データ等の各種情報等が記憶されると共に、制御部３がプログラム実行時に用いる各種レジスタやフラグが確保されている。
【００２２】
電子カメラユニット５は、図１及び図３に示すように、上側筐体１８の折畳時に外側となる面に設けられ、被写体から到来した光が入射する撮影窓部２１と、撮影窓部２１の近傍に配置された例えば標準レンズからなるカメラレンズ２２と、カメラレンズ２２を介して結像した画像を光電変換して電気信号としての画像信号を出力するＣＣＤ撮像素子等からなる撮像デバイス２３と、撮像デバイス２３から送られてきた画像信号をＡ／Ｄ変換し、デジタル化した信号にガンマ変換、色空間変換等の画像処理を施す画像処理部２４とを有している。
【００２３】
この例の発光部６は、着信時にその旨を通知する着信通知機能と、所定のエンブレムをイルミネーション表示するイルミネーション表示機能と、撮影時に必要に応じてストロボ発光を行うストロボ発光機能とを兼ね備えている。
発光部６は、図２に示すように、共にプリント配線基板２５上に搭載された白色光を発光する白色ＬＥＤユニット（第１の光源）２６及び青色光を発光する青色ＬＥＤユニット（第２の光源）２７と、発光用レンズ２８と、白色ＬＥＤユニット２６と発光用レンズ２８との間に配置され、白色ＬＥＤユニット２６から放射された光を透過させたり青色ＬＥＤユニット２７から到来した光を反射させるプリズムシー（光学系の一部）ト２９と、発光用レンズ２８を保持すると共に白色ＬＥＤユニット２６や青色ＬＥＤユニット２７から放射された光を洩れることなく発光用レンズレンズ、光学系の一部）２８へ導くための遮光ホルダ３１とを有している。
【００２４】
白色ＬＥＤユニット２６は、例えば、複数の青色ＬＥＤと、青色ＬＥＤから放射された青色光により黄色光を発光する蛍光材料が混入された蛍光板とを有してなり、撮影時に必要に応じてフラッシュ光（ストロボ光）を得るために用いられる。
青色ＬＥＤユニット２７は、複数の青色ＬＥＤを有してなり、着信時に着信した旨を通知するために、また、通話時にエンブレムのイルミネーション表示を行うために用いられる。
発光用レンズ２８は、その先端部２８ａが上側筐体１８に形成された開口部１８ａと遮光ホルダ３１に形成された開口部３１ａとに嵌め込まれ、さらに下面周縁部に突設されたフランジ部２８ｂの上面が開口部３１ａの縁部に係止されることによって、先端面を開口部１８ａから露出させた状態で位置決めされて固定されている。なお、開口部１８ａの形状は、所定のエンブレムに対応した形状とされている。
【００２５】
発光用レンズ２８は、白色光及び青色光を上側筐体１８の外部へ導くように配置され、白色光と青色光を外部へ出射する出射面（共通の出射面）２８ｐと、出射面２８ｐに対向する側に、白色光が入射する入射面（第１の入射面又は第２の入射面）２８ｑと、青色光が入射する側面（第２の入射面又は第１の入射面）２８ｒとを有している。
プリズムシート２９は、例えばアクリル系樹脂製で光透過性の外形矩形の薄板状部材からなり、図４に示すように、発光用レンズ２８の入射面２８ｑに当接又は近接して配置され、白色ＬＥＤユニット２６側に配置される平坦な光照射面２９ａと、光照射面２９ａに対向し発光用レンズ２８側に配置されるプリズム面２９ｂとを有している。
【００２６】
プリズム面２９ｂは、同図に示すように、主として青色ＬＥＤユニット２７から放射され発光用レンズ２８を透過して入射した光を発光用レンズ２８側に反射させるために寄与し、例えば光照射面２９ａに対して比較的急傾斜の反射面２９ｍと、主として白色ＬＥＤユニット２６から放射された光を発光用レンズ２８側に透過させるために寄与し、例えば光照射面２９ａに対して比較的緩傾斜の透過面ｎとを有している。
このプリズムシート２９によって、白色ＬＥＤユニット２６から出射された白色光や青色ＬＥＤユニット２７から出射された青色光は、発光用レンズ２８を開口部１８ａへ向けて進み、上側筐体１８の外部へ出射される。
【００２７】
遮光ホルダ３１は、図２に示すように、例えば、上側に開口部３１ａが形成されたキャップ状部材からなり、上側筐体１８によって上方から押えられ、内部には、白色ＬＥＤユニット２６、青色ＬＥＤユニット２７、プリズムシート２９及び発光用レンズ２８のフランジ部２８ｂを収納して遮光し、開口部３１ａから発光用レンズ２８の先端部２８ａを露出させた状態で、プリント配線基板２５上に配置されている。
ここで、遮光ホルダ３１は、開口部３１ａの下面側の縁部で発光用レンズ２８のフランジ部２８ｂに当接して発光用レンズ２８を係止し、上面が、上側筐体１８の開口部１８ａの下面側の縁部に当接して上方から押さえられた状態でプリント配線基板２５上に配置されている。
また、遮光ホルダ３１は、例えば、側壁内面の所定の部位から突設され、青色ＬＥＤユニット２７の前面側（発光用レンズ２８に対面する側）の下部を覆って白色ＬＥＤユニット２６への直接の光の放射を防止するための遮光部３１ｂを有している。
【００２８】
操作部１１は、電子カメラユニット５による撮影を可能とする撮影モードを選択すると共にシャッタ釦を兼ねる撮影モードキー（不図示）や、電子メールの作成や送受信を行うためのメールモード選択キー、音声通話を行うために用いる通話モード選択キー、ブラウザを起動させてホームページを閲覧するためのブラウザモード選択キー、撮影モード等から待受画面を表示して操作や着信を待機する待受モードへ移行させるためのクリアキー、電源キー、数字等を入力するためのテンキー、主表示部１２ａに表示された表示画面上のカーソルを上下左右方向へ移動させるためのカーソルキー等が、下側筐体の折畳時に内側となる面に配列され、さらに、着信通知のための発光表示又はエンブレムのイルミネーション表示を行う表示モードとストロボ発光が可能なストロボ発光モードとを切り換えるためのモード切換キー１１ａが、上側筐体１８の上端部に配置されてなっている（図１参照）。
【００２９】
なお、この例では、モード切換キー１１ａを押下して、表示モードからストロボ発光モードに切り替えた後にストロボ発光がなされた場合は、自動的に表示モードに復帰するように構成されている。
主表示部１２ａは、上側筐体１８の折畳時に内側となる面に配設され例えば透過型の液晶表示装置からなっている。
補助表示部１２ｂは、上側筐体１８の折畳時に外側となる面の中央部に配設され、例えば透過型の液晶表示装置からなり、非撮影時には、現在時刻や着信通知等の表示がなされる。
【００３０】
次に、図５乃至図９を参照して、この例の携帯電話機の動作について説明する。
まず、着信通知機能及びイルミネーション表示機能について説明する。
電源投入後、制御部３は、操作者による入力操作や着信を待機する待受モードに入り、主表示部１２ａには待受画面を表示させる。この状態で、着信があると、制御部３は、ＬＥＤ駆動部７を制御して、青色ＬＥＤユニット２７の各青色ＬＥＤを点滅させる。
青色ＬＥＤユニット２７から放射され青色光は、図５に示すように、発光用レンズ２８の側面２８ｒに入射し、このうち、発光用レンズ２８を透過した光は、一部はその入射面２８ｑで反射して開口部１８ａ側へ進み、一部は、屈折してプリズムシート２９へ向けて出射される。
【００３１】
図６に示すように、プリズムシート２９に到達した光のうち、一部は反射面２９ｍで発光用レンズ２８へ向けて反射するか、又は一旦透過面２９ｎで反射面２９ｍへ向けて反射した後、反射面２９ｍで発光用レンズ２８へ向けて反射し、一部は透過する。
入射面２８ｑから発光用レンズ２８に入射し、発光用レンズ２８中を透過した青色光は、出射面２８ｐから出射する。
【００３２】
ここで、この例の発光部６からプリズムシート２９を除いた場合は、図７に示すように、青色ＬＥＤユニット２７から出射され、発光用レンズ２８の側面２８ｒに入射し、発光用レンズ２８を透過した青色光は、このまま白色ＬＥＤユニット２６に入射する。上述したように白色ＬＥＤユニット２６の発光用レンズ２８側には、黄色蛍光体が混入された蛍光板が配置されており、黄色蛍光体に青色光が照射されることによって、白色ＬＥＤユニット２６が駆動されていなくても、白色光が放射され、発光用レンズ２８を透過して開口部１８ａから出射する。このため、青色領域のなかに浮き上がった白色領域が視認され、美観上好ましくない現象が生じる。
【００３３】
この例のように、プリズムシート２９を、発光用レンズ２８と白色ＬＥＤユニット２６との間に介在させることによって、白色ＬＥＤユニット２６に到達する青色光は無視し得る程度となり、表示品質上有害な白色光の放射が抑制される。
また、この例では、通話中は、制御部３はＬＥＤ駆動部７を制御して、青色ＬＥＤユニット２７の各青色ＬＥＤを点滅させ、エンブレムをイルミネーション表示させる。
【００３４】
次に、ストロボ機能について説明する。
主表示部１２ａには待受画面が表示された状態で、操作者が、撮影モードキー１１ａを押下して、撮影モードを選択すると、撮影モードに移行する。
制御部３は、主表示部１２ａには、カメラレンズ２２の前方の被写体を画面表示すると共に、現在、撮影スタンバイ状態であり、再び撮影モードキーを押下することにより撮影可能である旨のメッセージを表示させる。
ここで、操作者が輝度の不足を感じ、モード切換キー１１ａを押下した場合は、表示モードからストロボ発光モードに移行する。
【００３５】
構図を決定し撮影範囲等を確認したならば、操作者は撮影モードキー１１ａを再び押下する。この操作によって、ストロボ発光がなされ、撮影画像が取り込まれる。
すなわち、制御部３は、ＬＥＤ駆動部７を制御して、白色ＬＥＤユニット２６の青色ＬＥＤを発光させる。
白色ＬＥＤユニット２６の青色ＬＥＤより出射された青色光は、蛍光板の黄色蛍光体に照射され、加法混色により白色光が、図８に示すように、白色ＬＥＤユニット２６から出射され、プリズムシート２９に照射される。
白色ＬＥＤユニット２６から出射され白色光のうち一部は、同図に示すように、プリズムシート２９の光照射面２９ａに入射した後、図９に示すように、透過面２９ｎに達し、このうち一部は屈折して、発光用レンズ２８へ向けて出射し、一部は反射する。また、白色ＬＥＤユニット２６から出射され白色光のうち一部は、反射面２９ｍに達し、このうち一部は屈折して、発光用レンズ２８へ向けて出射し、一部は反射する。
入射面２８ｑより発光用レンズ２８に入射した白色光は、発光用レンズ２８中を透過して、出射面２８ｐより上側筐体１８の外部へ出射され、ストロボ光として用いられる。
【００３６】
制御部３は、撮影によって得られた画像データを画像処理部２３から受け取ると、記憶部４に格納し、この画像データに基づいて所定の表示信号を主表示部１２ａに与えて画像を表示させる。
この後、操作者が例えば友人宛てに電子メールに撮影した印刷物の画像を添付して送信したいと考えて、操作部１１のメールモード選択キーを押下してメールモードとし、送信操作を行った場合は、これによって、制御部３は、撮影によって得られた画像データを、無線通信部９を介して操作者が指定した他の携帯電話機等へ送信する。
【００３７】
この例の構成によれば、発光部６において、同一の発光用レンズ２８を共用して、着信時にその旨を通知する着信通知機能と、所定のエンブレムをイルミネーション表示するイルミネーション表示機能と、撮影時に必要に応じてストロボ発光を行うストロボ発光機能とを実現させることができるので、従来技術のように発光表示用とストロボ発光用とで、別々のレンズを設ける必要がないため、部品数の増加を抑えた上で多機能化を図ることができるとともに、筐体内の収納スペースを低減し、軽量化することができる。したがって、携帯電話機の小型化、軽量化及び低コスト化に寄与することができる。
しかも、プリズムシート２９を、発光用レンズ２８と白色ＬＥＤユニット２６との間に介在させることによって、発光表示時に、青色ＬＥＤユニット２７側から白色ＬＥＤユニット２６に到達する青色光は無視し得る程度となり、表示品質上有害な白色光の放射を抑制することができる。
【００３８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、携帯型電子機器として、携帯電話機を用いる場合について述べたが、携帯電話機に限らず、例えば、簡易型携帯電話（ＰＨＳ）端末でも、無線通信機能を有した携帯情報端末（ＰＤＡ）でも良く、携帯電話機の場合と略同一の効果を得ることができる。
また、必ずしも無線通信機能を有していなくても良く、デジタルカメラでも良いし、特に腕時計型のデジタルカメラでも良い。また、カメラが内蔵されたノート型パーソナルコンピュータ等であっても良い。
また、携帯電話機の場合は、必ずしも折畳可能な携帯電話機でなくても良い。
【００３９】
また、白色ＬＥＤユニット２６に代えて、赤色ＬＥＤ、緑色ＬＥＤ及び青ＬＥＤを少なくとも１組配置して白色光を出射させるように構成しても良い。この場合、プリズムシート２９を省略しても良い。また、第２の光源として、青色ＬＥＤに代えて、例えば赤色ＬＥＤや緑色ＬＥＤを用いても良い。
また、青色ＬＥＤユニットにおいて、青色ＬＥＤに代えて、青色と他の色彩との混合色の光を出射する発光ダイオードを用いても良い。
ＬＥＤ駆動回路のうち、青色ＬＥＤユニットを駆動する回路は、単に青色ＬＥＤを電源に接続する構成のものでも、昇圧回路を含むものでも、さらに、青色ＬＥＤに並列にコンデンサが接続されたものでも良い。
また、十分な輝度が得られる場合は、発光用レンズを省略しても良い。
【００４０】
また、白色ＬＥＤユニットを発光用レンズ２８の側面２８ｒに対面させて配置し、青色ＬＥＤユニットを発光用レンズ２８の入射面２８ｑに対面させて配置するようにしても良い。この場合、プリズムシートは、白色ＬＥＤユニットと側面２８ｒとの間に介在させる。
また、遮光ホルダ３１の内壁面や、白色光又は青色光が到達可能な筐体２の内壁面を白色や銀色等に彩色してもよい。この場合、白色光又は青色光が遮光ホルダ３１灯の表面に反射してより光量が増大し、ストロボ発光機能及び発光表示機能の効果が増大する。
【００４１】
また、プリズムシート２９に代えて、拡散シート等を設けても良い。拡散シートは、例えば、樹脂製の基材中に光を拡散させるための無機または有機材料を混入させたものであり、拡散シートに入射した光を拡散して出射するものである。
また、発光用レンズ２８中に拡散剤を混入させておくことによって、発光用レンズ２８の一部分のみの青色光の入射を発光用レンズ２８全体に強制的に拡散させ、青色光の出射の効果を増大させるようにしても良い。
また、光源としては、ＬＥＤに限らず、青色光又は白色光を発光する光源であれば、例えば、ＥＬ（Ｅｌｅｃｔｒｏｌｕｍｉｎｅｓｃｅｎｔ）表示素子等の他の素子でも良いし、蛍光ランプとフィルタとの組み合わせでも良い。
【００４２】
また、上述した実施例では、表示部において用いる表示素子として液晶表示素子を用いる場合について述べたが、これに限らず、例えば、ＥＬ表示素子を用いるようにしても良い。また、プラズマディスプレイを用いても良い。
また、上述した実施例では、電子カメラユニットで撮影した静止画を送信する場合について述べたが、当該携帯電話機をテレビ電話として用いるようにしても良い。
また、固定されたカメラレンズも標準レンズに限らない。また、複数のカメラレンズを設けて選択可能なように構成しても良い。また、電子カメラユニットを、電子ズーム機能を備えたものとしても良い。
【００４３】
また、撮影モードキーにシャッタ釦の機能を兼ねさせたが、別に専用のシャッタ釦を、例えば上側筐体１８の上側端部に設けるようにしても良い。
また、撮影モードキーを２回押下することによって撮影がなされることとしたが、セルフタイマを備えて一定時間後に撮影がなされるようにしても良い。
また、電子カメラユニット５の撮影窓部２１及びカメラレンズ２２を携帯電話機の上側筐体１８の折畳時に内側となる面に設けるようにしても良い。
【００４４】
【発明の効果】
以上説明したように、この発明の構成によれば、第１の光源から出射された第１の光と第２の光源から出射された第２の光とを同一の開口部から出力させることによって、ストロボ発光機能と表示機能とを含む多機能を実現しつつ、筐体内の収納スペースを低減することができる。
また、第１の光と上記第２の光とを共通の光学系を介して外部へ出力させることによって、ストロボ発光機能と表示機能とを含む多機能を実現しつつ、筐体内の収納スペースを低減することができる。例えば、光学系を構成するレンズを共用することによって、従来技術のように発光表示用とストロボ発光用とで、別々のレンズを設ける必要がないため、部品数の増加を抑えた上で多機能化を図ることができるとともに、筐体内の収納スペースを低減し、軽量化することができる。したがって、携帯電話機の小型化、軽量化及び低コスト化に寄与することができる。
【００４５】
また、例えば、プリズムシートを、レンズと第１の光源との間に介在させることによって、発光表示時に、第２の光源側から第１の光源に到達する第２の光は無視し得る程度となり、第１の光源を青色発光ダイオードと黄色蛍光体とを組合せて構成し、第２の光源として青色発光ダイオードを用いた場合に、表示品質上有害な白色光の放射を抑制することができる。
【図面の簡単な説明】
【図１】この発明の一実施例である折畳型の携帯電話機の外観構成を示す図である。
【図２】同携帯電話機の発光部の構成を示す断面図である。
【図３】同携帯電話機の構成を示すブロック図である。
【図４】図２のＡ部を拡大して示す拡大断面図である。
【図５】同携帯電話機の動作を説明するための断面図である。
【図６】同携帯電話機の動作を説明するための拡大断面図である。
【図７】同発光部において、プリズムシートを除いた場合の動作を説明するための断面図である。
【図８】同携帯電話機の動作を説明するための断面図である。
【図９】同携帯電話機の動作を説明するための拡大断面図である。
【図１０】従来技術を説明するための説明図である。
【図１１】従来技術を説明するための説明図である。
【図１２】従来技術を説明するための説明図である。
【符号の説明】
１      携帯電話機（カメラ付き携帯型電子機器）
２      筐体
５      電子カメラユニット（カメラ部）
６      発光部
１８ａ      開口部
２６      白色ＬＥＤユニット（第１の光源）
２７      青色ＬＥＤユニット（第２の光源）
２８      発光用レンズ（レンズ、光学系の一部）
２８ｐ      出射面（共通の出射面）
２８ｑ      入射面（第１の入射面又は第２の入射面）
２８ｒ      側面（第２の入射面又は第１の入射面）
２９      プリズムシート（光学系の一部）
【図１】
2004317891.tif 000003
【図２】
2004317891.tif 000004
【図３】
2004317891.tif 000005
【図４】
2004317891.tif 000006
【図５】
2004317891.tif 000007
【図６】
2004317891.tif 000008
【図７】
2004317891.tif 000009
【図８】
2004317891.tif 000010
【図９】
2004317891.tif 000011
【図１０】
2004317891.tif 000012
【図１１】
2004317891.tif 000013
【図１２】
2004317891.tif 000014